(57)【特許請求の範囲】
【請求項１】
内部に電源回路を備える電源ボックスと、
内部に光源を備える灯体と、
一端部が前記電源ボックスに接続され、かつ、他端部が前記灯体に接続されるアームと、
前記アームの内部に挿通され、前記電源回路と前記光源とを電気的に接続するためのリード線とを備え、
前記灯体は、前記光源が配置される取付部を備える本体と、前記光源及び前記本体が内部に配置される略筒状のセードとを備え、
前記セードには、前記アームが挿入される側方開口部が設けられ、
前記アームの前記他端部は、前記セードの内部に配置され、
前記本体は、前記本体を貫通し、前記リード線が挿通される挿通路を備え、
前記挿通路の前記アーム側の開口部は、前記アームの前記他端部と対向する位置に配置され、
前記灯体は、前記アームを角度調整自在に支持するアーム支持部を有し、
前記挿通路は、前記アーム支持部から前記光源の光軸に略垂直な方向に延びる
照明器具。
【請求項２】
前記リード線は、前記本体の外面及び前記挿通路の内面の少なくとも一方に沿って、曲げられている
請求項１記載の照明器具。
【請求項３】
前記取付部に設けられた前記リード線を挿通させるための挿通孔は、前記アームの前記他端部から見えない位置に配置される
請求項２記載の照明器具。
【請求項４】
前記リード線のうち、前記挿通路から前記アームまでの部分は略直線状である
請求項１〜３のいずれか１項に記載の照明器具。
【発明の詳細な説明】
【技術分野】
【０００１】
本発明は、照明器具に関する。
【背景技術】
【０００２】
従来の照明器具、例えばスポットライト用の照明器具では、内部に電源回路を有する電源ボックスと、一端部が電源ボックスに取り付けられたアームと、アームの他端部に取り付けられ、かつ、内部に光源を有する灯体とを備えている（例えば、特許文献１）。
【０００３】
特許文献１に開示された照明器具では、灯体とアームとの接続部及び電源ボックスとアームとの接続部は、それぞれ角度調整自在であり、灯体からの光の照射方向を自在に変えることができる。
【０００４】
電源ボックスと光源とは、リード線を介して電気的に接続されている。このリード線の損傷を抑制するため、このリード線はアームの内部に挿通される。また、このリード線をアームの内部に挿通することにより、このリード線が外部から見えにくくなるため、外観品質も向上する。さらに、アームと灯体との接続部におけるねじなどが外部から見えることを抑制するために、接続部は、灯体の内部に設けられる。また、リード線は、その長さを短くするために、光源から電源ボックスまで最短経路に沿って配置される。具体的には、灯体は、光源が取り付けられた本体と、本体を内蔵する筒状のセードとを備え、リード線は、光源から、本体とセードとの間に形成された隙間を通って、アームの内部まで引き回される。一方、アームの電源ボックス側の端部においては、リード線は、当該端部から電源回路まで引き回される。
【０００５】
アームの灯体側の端部は、互いに逆方向に突出した円柱状の回転軸部を有し、略Ｔ字状の形状を有する。一方、本体には、この回転軸部が嵌め込まれる横断面の形状が略半円形状のアーム支持部が形成されている。アームの当該端部は、回転軸部がアーム支持部に嵌め込まれるように設置される。そして、略Ｃの字状の板ばねを回転軸部の上から覆うように取り付ける。アーム支持部は、この板ばねの弾性圧力によってアーム支持部に対して押圧された状態になる。このとき、リード線は、板ばねの下を潜るように通してアーム部の内部に挿通される。
【０００６】
なお、板ばねには、板ばねの弾性圧力を調整するためのねじが設けられている。このねじは、照明器具の施工時に施工業者によって締め具合が調整されて、アームに対して灯体の角度を調整するために要するトルクが調整される。
【先行技術文献】
【特許文献】
【０００７】
【特許文献１】特開２０１４−１４６５０３号公報
【発明の概要】
【発明が解決しようとする課題】
【０００８】
特許文献１に開示された照明器具において、リード線が本体とアームとの間を通るため、本体とアームとを組み立てる場合、及び、灯体を回転させる場合にリード線が本体とアームとの間に挟まることがある。つまり、本体とアームとの間で、線噛みが発生することがある。また、リード線付近に板ばねがあるため、板ばねを増し締めする場合に、板ばねと本体との間において線噛みが発生することがある。
【０００９】
このような線噛みによってリード線の被覆部材及び導線が破損する場合がある。線噛みを防ぐために、本体部等に溝を形成して、リード線をこの溝に沿わして配線することも考えられるが、アームの回転時などにリード線に張力が加わり、リード線が溝から浮いてしまうこともある。このため、溝を形成することによっては、線噛みを防ぐことはできない。
【００１０】
そこで、本発明は、リード線の線噛みの発生を抑制できる照明器具を提供する。
【課題を解決するための手段】
【００１１】
上記課題を解決するために、本発明に係る照明器具の一態様は、内部に電源回路を備える電源ボックスと、内部に光源を備える灯体と、一端部が前記電源ボックスに接続され、かつ、他端部が前記灯体に接続されるアームと、前記アームの内部に挿通され、前記電源回路と前記光源とを電気的に接続するためのリード線とを備え、前記灯体は、前記光源が配置される取付部を備える本体と、前記光源及び前記本体が内部に配置される略筒状のセードとを備え、前記セードには、前記アームが挿入される側方開口部が設けられ、前記アームの前記他端部は、前記セードの内部に配置され、前記本体は、前記本体を貫通し、前記リード線が挿通される挿通路を備え、前記挿通路の前記アーム側の開口部は、前記アームの前記他端部と対向する位置に配置される。
【発明の効果】
【００１２】
本発明によれば、リード線の線噛みの発生を抑制できる照明器具を提供することができる。
【図面の簡単な説明】
【００１３】
【図１】図１は、実施の形態に係る照明器具の外観を示す斜視図である。
【図２】図２は、実施の形態に係る照明器具の一部分解斜視図である。
【図３】図３は、実施の形態に係る照明器具の一部分解斜視図である。
【図４】図４は、実施の形態に係る照明器具の断面図である。
【図５】図５は、実施の形態に係る照明器具の断面図である。
【図６】図６は、実施の形態に係る照明器具の斜視断面図である。
【図７】図７は、実施の形態に係る本体の外観斜視図である。
【図８】図８は、実施の形態に係る照明器具の断面図である。
【図９】図９は、比較例の照明器具の断面図である。
【発明を実施するための形態】
【００１４】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１５】
なお、各図は、模式図であり、必ずしも厳密に図示されたものではない。また、各図において、実質的に同一の構成に対しては同一の符号を付しており、重複する説明は省略又は簡略化する。
【００１６】
（実施の形態）
［１．構成］
まず、実施の形態に係る照明器具の構成について説明する。
【００１７】
図１は、本実施の形態に係る照明器具１の外観を示す斜視図である。
【００１８】
図２は、本実施の形態に係る照明器具１の一部分解斜視図である。図２では、照明器具１のうち、反射部材４０、光学部材５０及び光制御部材６０が分解されて示されている。
【００１９】
図３は、本実施の形態に係る照明器具１の一部分解斜視図である。図３では、照明器具１のうち、反射部材４０、光学部材５０及び光制御部材６０以外の部分が分解されて示されている。
【００２０】
図４は、本実施の形態に係る照明器具１の断面図である。図４は光軸Ｊを通り、図のｚｘ平面に平行な断面における照明器具１の断面図を示す。
【００２１】
図５は、本実施の形態に係る照明器具１の断面図である。図５は光軸Ｊを通り、図のｙｚ平面に平行な断面における照明器具１の断面図を示す。
【００２２】
図６は、本実施の形態に係る照明器具１の斜視断面図である。図６は光軸Ｊを通り、図のｙｚ平面に平行な断面における照明器具１の斜視断面図を示す。
【００２３】
図１に示されるように、照明器具１は、スポットライトであり、灯体５、アーム７０及び電源ボックス９０を備える。灯体５は、図２及び図４に示されるように、セード１０と、セード１０内に配置される反射部材４０、光学部材５０及び光制御部材６０を備える。図３及び図４に示されるように、セード１０内には、さらに、本体２０、光源３０、取付部材３２、接続部材３６、及び板ばね８０が配置される。以下、照明器具１の各構成要素について説明する。
【００２４】
［１−１．セード］
セード１０は、光源３０が内部に配置され、光源３０からの光を外部に出射する筒体である。セード１０は、図５及び図６に示されるように、後方開口部１１０、前方開口部１２０及び側方開口部１３０を備える。後方開口部１１０は、セード１０の後方（すなわち、各図のｚ軸方向負側）に位置する開口である。前方開口部１２０は、セード１０の前方（すなわち、各図のｚ軸方向正側）に位置する開口であり、前方開口部１２０から光が出射される。側方開口部１３０は、セード１０の側面後方に設けられたスリット状の開口部であり、アーム７０が配置される。
【００２５】
図４に示されるように、セード１０の内部には、光源３０に加えて、本体２０、反射部材４０、光学部材５０、光制御部材６０などが配置される。
【００２６】
図４に示されるように、セード１０の前方開口部１２０付近の内面には、第一係止部１４０が設けられている。本実施の形態では、第一係止部１４０は凹状の形状を有し、光制御部材６０に設けられた第一被係止部６６０を係止する。
【００２７】
図４に示されるように、セード１０の内部には、固定部１５０が設けられている。固定部１５０には、本体２０が取り付けられる。
【００２８】
セード１０は、金属材料で形成される。本実施の形態では、セード１０は、例えばアルミダイカスト工程を経て形成される。セード１０の外表面の塗装色は、照明器具１の用途などに応じて選択されてよい。本実施の形態では、セード１０は白色に塗装される。
【００２９】
［１−２．本体］
本体２０は、図４に示されるように、セード１０の内部に配置され、光源３０及びアーム７０が取り付けられる部材である。本体２０は、光源３０から発生した熱を放熱するヒートシンクとしても機能する。以下、図３〜図６及び図７を用いて、本体２０について詳細に説明する。
【００３０】
図７は、本実施の形態に係る本体２０の外観斜視図である。
【００３１】
図７に示されるように、本体２０は、前方側（図のｚ軸方向正側）に、取付部２１０、挿通孔２１２、遮光壁部２２０及び鍔部２３０を備える。取付部２１０は、光源３０が取り付けられる部分である。取付部２１０は、光源３０を取り付けるための平坦な面を含み、当該平坦な面を介して光源３０から発生する熱が効率よく本体２０に伝導される。挿通孔２１２は、光源３０に電力を供給するためのリード線９２が挿通される孔である。挿通孔２１２の内径は、リード線９２の外径と略同じである。これにより、挿通孔２１２から、本体２０の後方（ｚ軸方向負側）に光が漏れることが抑制される。
【００３２】
遮光壁部２２０は、図４及び図７に示されるように、本体２０の取付部２１０から前方（ｚ軸方向正側）に向かって延び、かつ、光源３０の周囲を囲む壁状部分である。遮光壁部２２０は、光源３０から出射された光のうち、反射部材４０と本体２０との隙間から洩れた一部の光が、本体２０の後方、及び、反射部材４０とセード１０との間に漏れることを抑制する。
【００３３】
鍔部２３０は、図４に示されるように、本体２０をセード１０に取り付けるための部分である。鍔部２３０には、二つの凹部２３２が設けられている。図３に示される二つのねじ２６が、それぞれ、二つの凹部２３２を介して、セード１０の内面の固定部１５０に設けられたねじ穴に捻じ込まれることによって、本体２０がセード１０に取り付けられる。また、鍔部２３０が、本体２０の固定部１５０と当接することによって、鍔部２３０と固定部１５０との隙間から光が後方に漏れることを抑制する。
【００３４】
図７に示されるように、本体２０は、後方側に、放熱部２４０を備える。放熱部２４０は、光源３０から発生した熱を放熱するための部分である。放熱部２４０は、アーム支持部２４２を備える。アーム支持部２４２は、アーム７０を支持する部分である。本実施の形態では、アーム支持部２４２の横断面の形状は、略半円形状であり、アーム７０の他端部７４の形状に対応している。また、図４〜図６に示されるように、本体２０は、挿通路２４６を備える。挿通路２４６は、本体２０を貫通し、リード線９２が挿通される部分である。本実施の形態では、挿通路２４６は、アーム支持部２４２から見て光源３０の光軸Ｊに略垂直な方向（図のｙ軸方向）に配置される貫通孔である。挿通路２４６は、アーム支持部２４２から光軸Ｊに略垂直な方向に延び、本体２０のｙ軸方向負側（図５における下側）において、光軸Ｊ方向に内径が徐々に拡大されている。挿通路２４６のアーム７０側の開口部２４４は、アーム７０の他端部７４と対向する位置に配置される。本体２０の挿通路２４６及び本体２０の周辺におけるリード線９２の配線については、後述する。
【００３５】
なお、本実施の形態では挿通路２４６は、光軸Ｊに略垂直な方向に延びる貫通孔であるが、挿通路２４６の構成はこれに限定されない。挿通路２４６は、屈曲又は湾曲していてもよいし、光軸Ｊと垂直でなくてもよい。また、挿通路２４６は、光軸Ｊ付近を通らなくてもよい。
【００３６】
本体２０は、金属材料で形成される。本実施の形態では、本体２０は、例えばアルミダイカスト工程を経て形成される。
【００３７】
［１−３．光源］
光源３０は、照明器具１の出射光となる光を出射する光源である。本実施の形態では、光源３０は、ＬＥＤ（Ｌｉｇｈｔ  Ｅｍｉｔｔｉｎｇ  Ｄｉｏｄｅ）を有する発光モジュールであって、所定の光を放射状に出射するＬＥＤ光源である。光源３０は、例えば白色光を出射するように構成されている。光源３０は、ＣＯＢ（Ｃｈｉｐ  Ｏｎ  Ｂｏａｒｄ）型ＬＥＤで構成され、図３に示されるように、基台３０２と、基台３０２上に実装されたベアチップ（ＬＥＤチップ）である複数のＬＥＤ３０４と、それらＬＥＤ３０４を封止し、蛍光体を含む封止部材とを備える。なお、本実施の形態では、封止部材は全てのＬＥＤ３０４を一括封止しているが、封止部材の構成はこれに限られない。ライン状に配列されたＬＥＤ３０４の配列方向に沿って複数本のライン状に封止部材を形成する構成としてもよい。
【００３８】
光源３０は、図６に示される本体２０の取付部２１０に取り付けられる。各図に示される照明器具１において、光源３０の光軸Ｊは各図のｚ軸方向である。
【００３９】
基台３０２は、複数のＬＥＤ３０４を実装するための実装基板であって、例えばセラミックス基板、樹脂基板又は絶縁被覆されたメタルベース基板などである。また、基台３０２は、例えば平面視において矩形である平面を有する板状であり、基台３０２の底面（図３のｚ軸方向負側）が本体２０の取付部２１０に取り付けられて固定される。なお、図示しないが、基台３０２には、ＬＥＤ３０４（光源３０）を発光させるための直流電力を外部から受電するための一対の電極端子（正電極端子及び負電極端子）が形成されている。
【００４０】
［１−４．取付部材］
取付部材３２は、光源３０を本体２０に取り付けるための部材である。図３に示されるように、取付部材３２は、規制部３２２及び第二係止部３２４を備える。
【００４１】
規制部３２２は、光源３０の光軸Ｊに垂直な方向（ｘ軸方向及びｙ軸方向）の位置を規制する。規制部３２２は、中央に開口部を有する矩形枠状の形状を有する。規制部３２２の中央に形成された開口部は、光源３０に対応する形状を有し、当該開口部に光源３０が配置される。取付部材３２は、本体２０の取付部２１０に配置され、接続部材３６及びねじ３８によって、本体２０に固定される。より具体的には、取付部材３２の規制部３２２には、貫通孔３２６が形成されており、ねじ３８を、貫通孔３２６を介して本体２０に形成されたねじ穴に捻じ込むことにより、取付部材３２が本体２０に対して固定される。これにより、取付部材３２及びその開口部に配置された光源３０が本体２０に固定される。
【００４２】
第二係止部３２４は、反射部材４０を支持するため爪状の部分であり、図４に示されるように、反射部材４０の第二被係止部４４０を係止する。本実施の形態では、取付部材３２は、二つの第二係止部３２４を備える。第二係止部３２４は、略Ｌ字型の形状を有しており、第二係止部３２４の端部の光軸Ｊから離れる向き突出した傾斜面（突起）が、第二被係止部４４０に挿入されることにより、第二係止部３２４が第二被係止部４４０を係止する。
【００４３】
取付部材３２は、例えば、ポリブチレンテレフタレート（ＰＢＴ）、ポリカーボネートなどの樹脂材料を用いて形成することができる。
【００４４】
［１−５．接続部材］
接続部材３６は、光源３０へ電流を供給する配線（図示せず）が接続される部材である。本実施の形態に係る照明器具１は、図３に示されるように、二つの接続部材３６を備え、一方の接続部材３６に高電位側の配線が、他方の接続部材３６に低電位側の配線が、それぞれ接続される。接続部材３６には、光源３０へ電流を供給する電極（不図示）が設けられている。当該電極が光源３０に形成された電極端子に接続される。
【００４５】
また、接続部材３６は、光源３０の位置を規制する機能も有する。接続部材３６には、ねじ３８が貫通する貫通孔が形成されており、当該貫通孔に挿入されたねじ３８によって、接続部材３６が本体２０及び取付部材３２に固定される。その際、図４に示されるように接続部材３６の光軸Ｊ側の部分が、光源３０を本体２０に向けて押さえることにより、光源３０の光軸方向（ｚ軸方向）における位置を規制する。
【００４６】
接続部材３６の筐体は、例えば、ＰＢＴ、ポリカーボネートなどの樹脂材料を用いて形成することができる。また、接続部材３６の電極は、銅などの導電性部材を用いて形成することができる。
【００４７】
［１−６．反射部材］
反射部材４０は、光源３０からの光の配光を制御する部材である。本実施の形態では、反射部材４０は、光源３０からの光を光学部材５０に向けて反射させる。反射部材４０は、光軸Ｊが貫通する開口が形成された略筒状の形状を有する。
【００４８】
図２及び図４に示されるように、反射部材４０は、光源３０からの光が入射される側（ｚ軸方向負側）の端部から、当該光が出射される側の端部に向かって内径が漸次大きくなるように構成された略筒状の形状を有する。反射部材４０の内面において、光源３０からの光が反射される。
【００４９】
図４に示されるように、反射部材４０の外面側には、取付部材３２の第二係止部３２４に係止される第二被係止部４４０が設けられている。第二被係止部４４０は、反射部材４０の外面側に立設された部材に設けられた孔である。第二被係止部４４０が第二係止部３２４に係止されることにより、反射部材４０は、取付部材３２に係止される。これにより、反射部材４０は、取付部材３２を介して本体２０に取り付けられる。
【００５０】
図２に示されるように、反射部材４０の光出射側（ｚ軸方向正側）の端部には、三つの第三係止部４１０が設けられている。第三係止部４１０は、光学部材５０を係止する爪状の部分である。
【００５１】
反射部材４０は、例えばポリブチレンテレフタレート（ＰＢＴ）など硬質の白色樹脂材料を用いて形成することができる。
【００５２】
［１−７．光学部材］
光学部材５０は、図４に示されるように、反射部材４０からの光が入射される光入射面５１０、及び、光入射面５１０に入射した光が出射される光出射面５２０を備える透光性の部材である。光学部材５０は、反射部材４０から入射された光の配光を制御して出射する機能を有してもよい。本実施の形態では、光学部材５０はフレネルレンズである。これにより、照明器具１は、出射光を集光して、スポット状の照明領域を形成することができる。
【００５３】
図２に示されるように、光学部材５０には、周縁部に三つの第三被係止部５３０が設けられている。本実施の形態では、第三被係止部５３０は、光学部材５０の光出射面５２０に設けられた凹状の形状を有する部分である。光学部材５０の第三被係止部５３０が反射部材４０の第三係止部４１０に係止されることによって、光学部材５０が反射部材４０に係止される。これにより、光学部材５０は、反射部材４０及び取付部材３２を介して本体２０に取り付けられる。また、このように反射部材４０の光出射側の端部に光学部材５０が配置されることにより、反射部材４０から出射された光が、光学部材５０に効率よく入射される。
【００５４】
光学部材５０は、透光性材料を用いて形成されており、例えばＰＭＭＡ（アクリル）、ポリカーボネートなどの透明樹脂材料、又は、ガラス材料などの透明材料を用いて形成することができる。
【００５５】
［１−８．光制御部材］
光制御部材６０は、図４に示されるように、光学部材５０から出射された光が入射される入射開口部６１０及び入射開口部６１０に入射された光が出射される出射開口部６２０を有し、かつ、セード１０の内部であって、光学部材５０の光出射面５２０側に配置された略筒状の部材である。光制御部材６０は、図２に示されるように、セード１０とは別部材である。
【００５６】
光制御部材６０は、図２及び図４に示されるように、入射開口部６１０及び出射開口部６２０を光軸Ｊが通るように配置される。また、図４に示されるように、光制御部材６０の出射開口部６２０の外径は、セード１０の前方開口部１２０の内径と略等しい。これにより、セード１０の前方開口部１２０の出射光通過領域が光制御部材６０によって削減されることを抑制できる。また、セード１０と光制御部材６０との間からの出射光の漏れを抑制できる。
【００５７】
図４に示されるように、光制御部材６０は、セード１０の前方開口部１２０近傍に、出射開口部６２０が位置するように配置される。また、光制御部材６０の光軸Ｊ方向（ｚ軸方向）の長さは、光学部材５０の光出射面５２０から、セード１０の前方開口部１２０までの長さ程度である。これにより、光制御部材６０は、セード１０の内面のうち、光学部材５０の光出射面５２０近傍から、セード１０の前方開口部１２０近傍まで部分を覆うことができる。ここで、光制御部材６０の内面６３０（光軸Ｊ側の面）は、黒色のグレア抑制面である。このように、セード１０の前方開口部１２０付近の内面は、黒色のグレア抑制面である光制御部材６０の内面６３０で覆われる。これにより、セード１０の前方開口部１２０付近の内面におけるグレアが抑制される。
【００５８】
光制御部材６０の内面は、黒色のグレア抑制面であれば、特に限定されない。黒色のグレア抑制面は、例えば、黒色に塗装した面に艶消し処理を施すことにより実現できる。また、黒色のグレア抑制面は、黒色に塗装した面、又は、黒色の部材からなる面に、シボ加工を施すことによっても実現できる。さらに、光制御部材６０の内面６３０におけるグレアをさらに抑制するために、図４などに示されるように、光制御部材６０の内面６３０に段差部（バッフル）６５０を設けてもよい。
【００５９】
光制御部材６０は、図２及び図４に示されるように、外周に第一被係止部６６０を備える。光制御部材６０は、第一被係止部６６０が第一係止部１４０に係止されることにより、セード１０の内部に保持される。本実施の形態では、第一被係止部６６０は、凸状の形状を有し、凹状の形状を有する第一係止部１４０に係止される。このように、光制御部材６０は、セード１０の前方開口部１２０に挿入するだけで簡単に取り付けることができる。したがって、本実施の形態に係る照明器具１では、セード１０の内面及び外面の塗装を塗り分ける場合より、セード１０の内面に黒色のグレア抑制面を容易に形成することができる。
【００６０】
光制御部材６０は、図４に示されるように、内面６３０の入射開口部６１０付近に、外付部材を保持するための突起部６１４を備える。本実施の形態では、光制御部材６０は、六つの突起部６１４を備える。
【００６１】
光制御部材６０は、例えば、ポリカーボネート、ＰＢＴなどの樹脂材料を用いて形成することができる。このように、光制御部材６０を、樹脂材料を用いて形成することにより、光制御部材６０を容易に、かつ、低コストで製造することができる。
【００６２】
［１−９．アーム］
アーム７０は、一端部７３が電源ボックス９０に接続され、かつ、他端部７４が灯体５に接続される部材である。本実施の形態では、図３に示されるように、アーム７０は、アーム本体７２と一端部７３及び他端部７４とを備える。他端部７４は、互いに逆方向に突出した略円柱状の回転軸部を有する。本実施の形態では、他端部７４は、光軸Ｊ及びアーム７０の長手方向に垂直な方向に延びる略円柱状の回転軸部を備える。アーム７０の他端部７４が、板ばね８０と本体２０のアーム支持部２４２とで挟まれることによって、アーム７０は本体２０に回転自在に取り付けられる。以下、アーム７０の詳細な構成について、図５及び図６を用いて説明する。
【００６３】
図５及び図６に示されるように、アーム７０の内部には、アーム７０の長手方向に挿通孔７６が形成されている。挿通孔７６には、リード線９２が挿入され、リード線９２によって電源ボックス９０から光源３０に電力が供給される。このように、リード線９２が外部に露出しないため、リード線９２が損傷することが抑制される。また、照明器具１の外部からリード線９２が見えないため、デザイン的にも好ましい。
【００６４】
アーム７０は、金属材料で形成される。本実施の形態では、アーム７０は、例えばアルミダイカスト工程を経て形成される。
【００６５】
［１−１０．板ばね］
板ばね８０は、アーム７０を本体２０に対して回転自在に取り付けるための弾性部材である。本実施の形態では、板ばね８０は、図３に示されるように略Ｃ字型の形状を有しており、本体２０とともに、アーム７０の他端部７４を挟んだ状態で、ねじ８６及び８８によって本体２０に固定される。これにより、アーム７０が本体２０に取り付けられる。
【００６６】
アーム７０の他端部７４は、板ばね８０と本体２０とで挟まれた状態であるため、アーム７０は、他端部７４を中心として本体２０に対して回転自在である。また、アーム７０を回転するために要するトルクは、板ばね８０を本体２０に固定するばね８８の捻じ込み量の調整により調整可能である。ねじ８８は、照明器具１を組み立てた状態で、セード１０の側方開口部１３０からドライバーによって調整できる位置に配置される。これにより、ユーザが、照明器具１を分解することなく、アーム７０を回転するために要するトルクを調整できる。
【００６７】
板ばね８０は、金属材料で形成される。本実施の形態では、板ばね８０は、例えば鉄で形成される。
【００６８】
［１−１１．電源ボックス］
図２及び図３に示される電源ボックス９０は、光源３０に電力を供給する電源回路が内蔵された筐体である。本実施の形態では、電源ボックス９０に内蔵された電源回路は、電源ボックス９０の外部から供給された交流電力を直流電力に変換し、当該直流電力を、リード線９２を介して光源３０のＬＥＤ３０４に供給する。
【００６９】
電源ボックス９０の外壁部分は、金属材料、樹脂材料などから形成される。本実施の形態では、例えば、当該外壁部分は、アルミニウムで形成される。
【００７０】
［２．線噛み抑制構成］
次に、本実施の形態に係る照明器具１におけるリード線９２の線噛みを抑制する構成について説明する。
【００７１】
図５に示されるように、照明器具１においては、灯体５は、セード１０の内部に、アーム７０を角度調整自在に支持するアーム支持部２４２を備える。本実施の形態では、アーム支持部２４２は、図７に示されるように本体２０のアーム７０側の面に配置される。また、本体２０は、本体２０を貫通し、リード線９２が挿通される挿通路２４６を備える。本実施の形態では、挿通路２４６は、図５及び図６に示されるように、アーム支持部２４２から見て光源３０の光軸Ｊに略垂直な方向（図５及び図６のｙ軸方向）に配置される貫通孔である。挿通路２４６は、アーム支持部２４２から光軸Ｊに略垂直な方向に延び、本体２０の下側（図５及び図６におけるｙ軸方向負側）において、光軸Ｊ方向に内径が徐々に拡大されている。挿通路２４６のアーム７０側の開口部２４４は、アーム７０の他端部７４と対向する位置に配置される。
【００７２】
これにより、リード線９２は、アーム７０と本体２０との間の隙間を通ることなく、アーム７０から挿通路２４６に挿通されるため、アーム７０と本体２０との間における線噛みの発生が抑制される。
【００７３】
また、図５及び図６に示されるように、リード線９２は、板ばね８０と本体２０との間に配置されないため、板ばね８０による線噛みの発生が抑制される。
【００７４】
続いて、本実施の形態に係る照明器具１において、アーム７０に対する灯体５の角度を変えた場合のリード線９２の状態について、図８を用いて説明する。
【００７５】
図８は、本実施の形態に係る照明器具１の断面図である。図８は光軸Ｊを通り、図のｙｚ平面に平行な断面における照明器具１の断面図を示す。また、図８に示される断面図は、アーム７０に対する灯体５の角度が図５に示される断面図と異なる。図８では、光軸Ｊがｙ軸方向と平行となる場合の断面図を示す。
【００７６】
図８に示されるように、灯体５の角度を変えた場合においても、リード線９２は、アーム７０と本体２０との間において、略直線状であるため、本体２０とアーム７０との間において、リード線９２が撓むことが抑制され、線噛みの発生が抑制される。また、灯体５の角度を変えた場合においても、リード線９２は、板ばね８０と本体２０との間に配置されないため、板ばね８０による線噛みの発生が抑制される。
【００７７】
ここで、本実施の形態に係る照明器具１の効果を説明するために、比較例の照明器具について図面を用いて説明する。
【００７８】
図９は、比較例の照明器具２の断面図である。
【００７９】
図９に示されるように、比較例の照明器具２は、本実施の形態に係る照明器具１と同様に、主に、セード１０ｃ、本体２０ｃ、光源３０ｃ、反射部材４０ｃ、光学部材５０ｃ、光制御部材６０ｃ、アーム７０ｃ、板ばね８０ｃ及びリード線９２ｃを備える。
【００８０】
比較例の照明器具２の本体２０ｃは、取付部２１０ｃ及び挿通孔２１２ｃを備える。取付部２１０ｃは光源３０ｃが取り付けられる部分である。挿通孔２１２ｃは、光源３０ｃに電力を供給するためのリード線９２ｃが挿通される孔である。また、板ばね８０ｃは、ねじ８６ｃ及び８８ｃによって本体２０ｃに固定される。なお、図９には示されないが、照明器具２は、照明器具１と同様に電源ボックスを備える。
【００８１】
比較例の照明器具２は、本体２０の構成、及び、リード線９２ｃの引き回し経路において本実施の形態に係る照明器具１と相違する。照明器具２では、図９に示されるように、リード線９２ｃは、光源３０ｃ付近の挿通孔２１２ｃから、板ばね８０ｃと本体２０ｃとの間を通って、アーム７０ｃの内部の挿通孔７６ｃに引き回される。このため、比較例の照明器具２では、板ばね８０ｃと本体２０ｃとの間で線噛みが発生するおそれがある。
【００８２】
また、図９に示されるように、比較例の照明器具２では、アーム７０ｃと本体２０ｃとの間において、リード線９２ｃが屈曲されるため、当該屈曲部においてリード線９２ｃが撓み、アーム７０ｃと本体２０ｃとの間で線噛みが発生するおそれがある。
【００８３】
以上のように、本実施の形態に係る照明器具１では、比較例の照明器具２に比べて、線噛みの発生が抑制される。
【００８４】
［３．光漏れ抑制構成］
次に、本実施の形態に係る照明器具１における光漏れ抑制構成について図５、図６及び図９を用いて説明する。
【００８５】
図９に示される比較例の照明器具２において発生し得る光漏れは、主に、本体２０ｃの挿通孔２１２ｃと、挿通孔２１２ｃに挿通されたリード線９２ｃとの隙間からセード１０ｃの側方開口部１３０ｃへ伝播する光によるものである。アーム７０ｃ付近においては、板ばね８０ｃなどが配置さる。また、板ばね８０ｃを調整するためのねじ８８ｃにセード１０ｃの外部からアクセスする必要があるため、アーム７０ｃと本体２０ｃとの接続部周辺には、比較的大きな空間が存在する。したがって、板ばね８０ｃ付近に配置された挿通孔２１２ｃから漏れた光は、側方開口部１３０ｃまで到達し、セード１０ｃから漏れ出る。
【００８６】
一方、本実施の形態に係る照明器具１では、図５及び図６に示されるように、リード線９２は、本体２０の挿通路２４６を通って、本体２０の下面（ｙ軸方向負側面）を介して、挿通孔２１２に引き回されている。また、リード線９２は、本体２０の挿通路２４６の内面に沿って曲がっている。したがって、本実施の形態では、光源３０から出射された光が挿通孔２１２から漏れても、アーム７０付近（すなわち、側方開口部１３０付近）まで直線的に到達できない。つまり、本実施の形態に係る照明器具１では、側方開口部１３０からの漏れ光が抑制される。
【００８７】
また、本実施の形態に係る照明器具１では、本体２０の取付部２１０に設けられたリード線９２を挿通させるための挿通孔２１２は、アーム７０の他端部７４から見えない位置に配置される。これにより、挿通孔２１２から漏れた光が、アーム７０の他端部７４まで直線的に到達できない。つまり、本実施の形態に係る照明器具１では、挿通孔２１２からアーム７０が配置される側方開口部１３０に到達して、外部に漏れる光が低減される。
【００８８】
［４．効果など］
以上のように、本実施の形態に係る照明器具１は、内部に電源回路を備える電源ボックス９０と、内部に光源３０を備える灯体５とを備える。さらに、照明器具１は、一端部７３が電源ボックス９０に接続され、かつ、他端部７４が灯体５に接続されるアーム７０と、アーム７０の内部に挿通され、電源回路と光源３０とを電気的に接続するためのリード線９２とを備える。灯体５は、光源３０が配置される取付部２１０を備える本体２０と、光源３０及び本体２０が内部に配置される略筒状のセード１０とを備える。セード１０には、アーム７０が挿入される側方開口部１３０が設けられ、アーム７０の他端部７４は、セード１０の内部に配置される。本体２０は、本体２０を貫通し、リード線９２が挿通される挿通路２４６を備え、挿通路２４６のアーム７０側の開口部２４４は、アーム７０の他端部７４と対向する位置に配置される。
【００８９】
これにより、照明器具１では、リード線９２が、本体２０とアーム７０との間、及び、本体２０と板ばね８０との間に配置されないため、リード線９２の線噛みの発生を抑制することができる。
【００９０】
また、本実施の形態に係る照明器具１において、リード線９２は、本体２０の外面及び挿通路２４６の内面の少なくとも一方に沿って、曲げられていてもよい。
【００９１】
このように、リード線９２が引き回されている経路が、本体２０に沿って曲げられている場合には、挿通孔２１２から光が漏れても、リード線９２が曲がっているため、リード線９２の経路に沿って、光が伝播し難い。したがって、挿通孔２１２からセード１０の側方開口部１３０まで伝播し、外部に漏れる光が低減される。
【００９２】
また、本実施の形態に係る照明器具１において、取付部２１０に設けられたリード線９２を挿通させるための挿通孔２１２は、アーム７０の他端部７４から見えない位置に配置されてもよい。
【００９３】
これにより、挿通孔２１２から漏れた光が、アーム支持部２４２まで直線的に到達できない。つまり、本実施の形態に係る照明器具１では、挿通孔２１２からアーム７０が配置される側方開口部１３０に到達して、外部に漏れる光が低減される。
【００９４】
また、本実施の形態に係る照明器具１において、リード線９２のうち、挿通路２４６からアーム７０までの部分は略直線状であってもよい。
【００９５】
これにより、リード線９２が、アーム７０と本体２０との間で撓むことが低減される。したがって、リード線９２のアーム７０及び板ばね８０と本体２０とによる線噛みの発生が抑制される。
【００９６】
（変形例など）
以上、本発明に係る照明器具１について、実施の形態に基づいて説明したが、本発明は、上記実施の形態に限定されるものではない。
【００９７】
例えば、本実施の形態では、リード線９２は、本体２０の挿通路２４６の内面に沿って曲がっているが、リード線９２は、挿通路２４６の内面に沿って直線状の形状で引き回されてもよい。
【００９８】
また、本実施の形態では、取付部２１０に設けられたリード線９２を挿通させるための挿通孔２１２は、アーム７０の他端部７４から見えない位置に配置されるが、アーム７０の他端部７４から見える位置に配置されてもよい。
【００９９】
また、本実施の形態では、リード線９２のうち、挿通路２４６からアーム７０までの部分は略直線状であるが、必ずしも直線状でなくてもよい。挿通路２４６からアーム７０までの間において、リード線９２がアーム７０と本体２０とで挟まれる位置になければよい。
【０１００】
また、上記実施の形態では、光学部材５０は、フレネルレンズであったが、光学部材５０はこれに限定されない。光学部材５０は、例えば、ハイブリッドレンズ、ドーム型レンズなどでもよい。
【０１０１】
また、上記実施の形態においては、光源３０において、ＣＯＢ型ＬＥＤを用いたが、他の発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子など他の固体発光素子、又は、固体発光素子以外の他の光源を用いてもよい。
【０１０２】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１０３】
１、２  照明器具
５  灯体
１０  セード
２０  本体
３０  光源
７０  アーム
７３  一端部
７４  他端部
９０  電源ボックス
９２、９２ｃ  リード線
１３０  側方開口部
２１０  取付部
２１２  挿通孔
２４２  アーム支持部
２４４  開口部
２４６  挿通路
【図１】
0006593686.tif 000002
【図２】
0006593686.tif 000003
【図３】
0006593686.tif 000004
【図４】
0006593686.tif 000005
【図５】
0006593686.tif 000006
【図６】
0006593686.tif 000007
【図７】
0006593686.tif 000008
【図８】
0006593686.tif 000009
【図９】
0006593686.tif 000010